(57)【要約】【課題】  ペダルを備えた電子楽器において、ペダルから音源に至る信号線により外観が損なわれるのを防止し、しかも、電子楽器組み立て時の作業性を向上する。【解決手段】ペダルユニット３に、赤外線を出射する発光ダイオード１９を設け、さらに電子鍵盤楽器１本体部には、赤外線を受光するフォトダイオード２２を設ける。また、ペダルユニット３を構成するケース１６内部には、ペダル１４の操作または操作量を検出する検出回路が備えられている。検出回路がペダル１４の操作または操作量を検出すると、その検出結果が発光ダイオード１９により赤外線で出射され、この赤外線はフォトダイオード２２により受光される。そして、この受光信号は、電子鍵盤楽器１が備える電子音発生装置に入力され、ペダルの操作または操作量が電子音に反映される。【選択図】図１
2006195264.tif 000002
【特許請求の範囲】
【請求項１】
足で操作するためのペダルと、該ペダルの操作又は操作量を検出する検出手段と、電子音を発する音源と、前記検出手段による検出結果に基づき前記音源を制御する制御手段とを備えた電子楽器において、
前記ペダル近傍に備えられ、前記検出手段による検出結果を表す信号を無線送信するための送信手段と、
前記制御手段近傍に備えられ、前記送信手段からの送信信号を受信して前記制御手段に入力するための受信手段と、
を備えたことを特徴とする電子楽器。
【請求項２】
前記送信手段は、前記検出手段による検出結果に応じて、デューティー比が変化するパルス幅変調信号を生成し、該生成したパルス幅変調信号に応じて、前記無線信号を送信することを特徴とする請求項１に記載の電子楽器。
【請求項３】
前記送信手段は、前記無線信号として赤外線を出射する発光素子を備え、前記検出手段にて前記ペダルの操作又は操作量が検出されているときに、該発光素子から赤外線を出射するよう構成され、
前記受信手段は、該発光素子が出射した赤外線を受光して受光光量に応じた電気信号を前記制御手段に出力する受光素子から構成されていることを特徴とする請求項１又は請求項２に記載の電子楽器。
【請求項４】
当該電子楽器は、指で操作するための鍵盤部と、前記鍵盤部を支持するための脚部とを備え、前記制御手段が、前記ペダルの操作状態に加えて、前記鍵盤部の操作状態に応じて前記音源を制御する鍵盤楽器であり、
前記ペダルは、前記脚部に架設された底板の所定位置に固定されていることを特徴とする請求項１〜請求項３の何れかに記載の電子楽器。
【請求項５】
当該電子楽器は、指で操作するための鍵盤部と、前記鍵盤部を支持するための脚部とを備え、前記制御装置が、前記ペダルの操作状態に加えて、前記鍵盤部の操作状態に応じて前記音源を制御する鍵盤楽器であり、
前記ペダル、前記検出手段、及び前記送信手段は、当該楽器本体とは別体に構成されたペダルユニット内に設けられていることを特徴とする請求項１〜請求項３の何れかに記載の電子楽器。
【請求項６】
前記送信手段は、前記ペダルユニットの設置位置に応じて前記無線信号の送信方向を調整可能に構成され、
前記受信手段は、当該電子楽器の下方に設置されたペダルユニットからの送信信号を受信可能に構成されていることを特徴とする請求項５に記載の電子楽器。
【発明の詳細な説明】
【技術分野】
【０００１】
本発明は、ペダル操作によって音源が制御される電子楽器に関する。
【背景技術】
【０００２】
従来、例えば通常のピアノに設けられているダンパーペダル、ソフトペダル、ソステヌートペダル等と同様の働きをするペダルを備えた電子ピアノ等の電子楽器が考案されている。
【０００３】
そして、この種の電子楽器においては、ペダルの操作或いは操作量を、スイッチや可変抵抗器等からなる検出装置で検出し、その検出装置による検出結果に基づいて音源を制御することにより、通常のピアノにおいて各種ペダルが操作された場合と同様の音を発生できるようにしている（例えば、特許文献１等、参照）。
【特許文献１】特開平５−８８６７２号
【発明の開示】
【発明が解決しようとする課題】
【０００４】
しかしながら、上述した従来の電子楽器においては、ペダルの操作や操作量を検出する検出装置と、この検出装置からの検出信号に基づき音源を制御する制御装置とは、検出信号を伝送するための信号線を介して接続されることから、その信号線が外部に露出して、電子楽器の外観が損なわれるとか、電子楽器の組み立て時に信号線の配線作業が必要になり、組み立て作業の作業性が低下する、という問題があった。
【０００５】
また、信号線により外観が損なわれるのを防止するために、信号線を隠すための部品を追加するなど、電子楽器の構造を変更することも考えられるが、このようにすると、電子楽器の組み立て時の作業性を更に低下させてしまい、また、電子楽器のコストアップを招いてしまう、という問題がある。
【０００６】
本発明は、こうした問題に鑑みなされたもので、操作用のペダルを備えた電子楽器において、ペダルから音源に至る信号線により外観が損なわれるのを防止し、しかも、電子楽器組み立て時の作業性を向上することを目的とする。
【課題を解決するための手段】
【０００７】
係る目的を達成するためになされた請求項１に記載の発明は、足で操作するためのペダルと、該ペダルの操作又は操作量を検出する検出手段と、電子音を発する音源と、前記検出手段による検出結果に基づき前記音源を制御する制御手段とを備えた電子楽器において、
前記ペダル近傍に備えられ、前記検出手段による検出結果を表す信号を無線送信するための送信手段と、
前記制御手段近傍に備えられ、前記送信手段からの送信信号を受信して前記制御手段に入力するための受信手段と、
を備えたことを特徴とする。
【０００８】
このように構成された請求項１に記載の電子楽器においては、検出手段が、ペダルの操作、又は操作量を検出し、この検出結果を表す信号を、ペダル近傍に設けられた送信手段から、電子楽器の本体側の制御手段近傍に設けられた受信手段へ無線で送信する。
【０００９】
よって、この請求項１に記載の電子楽器によれば、前記信号を送受信する通信のためのケーブル等が必要ないので、ケーブル等により電子楽器全体の外観を損なうことがない。
また、組み立て時にケーブル等の配線をする必要がないので、容易に電子楽器を組み立てて使用することができる。さらに、電子楽器の出荷時等、電子楽器を分解して搬送する際には、ケーブルの断線等の対策をとる必要がなくなるので、作業が簡単なものとなり、作業のコストを削減することができる。
【００１０】
次に、請求項２に記載の発明は、請求項１に記載の電子楽器において、前記送信手段は、前記検出手段による検出結果に応じて、デューティー比が変化するパルス幅変調信号を生成し、該生成したパルス幅変調信号に応じて、前記無線信号を送信することを特徴とする。
【００１１】
よって、この請求項２に記載の電子楽器によれば、無線信号の送信にパルス幅変調符号を使用することから、その送信時には、パルス幅変調符号に応じて無線信号を送信するか否かを切り替えるだけでよく、無線送信用の搬送波の振幅や周波数を変調する必要がないので、無線通信を簡単に行うことができる。
【００１２】
次に、請求項３に記載の発明は、請求項１又は請求項２に記載の電子楽器において、前記送信手段は、前記無線信号として赤外線を出射する発光素子を備え、前記検出手段にて前記ペダルの操作又は操作量が検出されているときに、該発光素子から赤外線を出射するよう構成され、
前記受信手段は、該発光素子が出射した赤外線を受光して受光光量に応じた電気信号を前記制御手段に出力する受光素子から構成されていることを特徴とする。
【００１３】
よって、この請求項３に記載の電子楽器によれば、送信手段は、検出手段が検出したペダルの操作又は操作量を表す検出結果を赤外線で送信することから、送信手段を赤外線を発光する発光素子で構成することができ、電波で検出結果を送受信するような場合と比較して、送信手段及び受信手段の構成を簡単にできる。したがって、送信手段及び受信手段を安価に構成できるとともに、その電力消費を抑えることができ、より経済的な電子楽器を提供することができる。
【００１４】
また、本電子楽器によれば、電波と異なり、空間分割により無線信号の送受を行うため、複数の本電子楽器を近接させて使用しても、無線信号が混信することが少ない。
次に、請求項４に記載の発明は、請求項１〜請求項３の何れかに記載の電子楽器において、当該電子楽器は、指で操作するための鍵盤部と、前記鍵盤部を支持するための脚部とを備え、前記制御手段が、前記ペダルの操作状態に加えて、前記鍵盤部の操作状態に応じて前記音源を制御する鍵盤楽器であり、
前記ペダルは、前記脚部に架設された底板の所定位置に固定されていることを特徴とする。
【００１５】
よって、この請求項４に記載の電子楽器によれば、ペダルが電子楽器本体に固定して設置されることから、このペダルを、一般のピアノに備えられたペダルのように操作することができる。したがって、よりアコースティックピアノの操作感に近い電子楽器を提供することができる。
【００１６】
次に、請求項５に記載の発明は、請求項１〜請求項３の何れかに記載の電子楽器において、当該電子楽器は、指で操作するための鍵盤部と、前記鍵盤部を支持するための脚部とを備え、前記制御装置が、前記ペダルの操作状態に加えて、前記鍵盤部の操作状態に応じて前記音源を制御する鍵盤楽器であり、
前記ペダル、前記検出手段、及び前記送信手段は、当該楽器本体とは別体に構成されたペダルユニット内に設けられていることを特徴とする。
【００１７】
よって、この請求項５に記載の電子楽器によれば、ペダル、検出手段、送信手段からなるペダルユニットが、電子楽器本体とは別体に構成されていることから、ペダルの操作者は、所定の範囲内において好きな場所にペダルユニットを配置することができるので、より使い勝手のいい電子楽器を提供できる。
【００１８】
次に、請求項６に記載の発明は、請求項５に記載の電子楽器において、前記送信手段は、前記ペダルユニットの設置位置に応じて前記無線信号の送信方向を調整可能に構成され、
前記受信手段は、当該電子楽器の下方に設置されたペダルユニットからの送信信号を受信可能に構成されていることを特徴とする。
【００１９】
よって、この請求項６に記載の電子楽器によれば、ペダルユニットを所定の範囲内においてどのような場所に設置しても、無線信号が確実に送受信されるようにできる。したがって、ペダル操作が確実に音源の制御に反映されることになり、ペダルの操作者に違和感を与えない電子楽器を提供することができる。
【発明を実施するための最良の形態】
【００２０】
以下、本発明が適用された実施形態について、図面を用いて説明する。
図１は、本発明が適用された第１実施形態の電子鍵盤楽器１を表す図面である。
本実施形態の電子鍵盤楽器１は、指で操作するための鍵盤部１０と、鍵盤部１０を支持するための脚部１２Ｒ、１２Ｌと、鍵盤部１０の下方に設けられた受信手段としての受信ホルダ２０と、本体とは別体に設けられたペダルユニット３とから構成されており、このペダルユニット３は、脚部１２Ｒと１２Ｌとの間で任意の箇所に配置が可能である。
【００２１】
ペダルユニット３は、足で操作するためのペダル１４と、足での操作に応じてその一端を変位可能に支持するケース１６とから構成されている。
ケース１６の内部には、ペダル１４の操作量を検出する検出手段としての検出回路が備えられている。なお、この検出回路の構成については後述する。また、ケース１６の上面には、送信手段として、赤外線を出射する発光素子としての発光ダイオード１９を内蔵した送信ホルダ１５が備えられている。そして、この送信ホルダ１５には、発光ダイオード１９からの赤外線を集光して一方向に出射するためのレンズ１８が備えられている。なお、この送信ホルダ１５の取り付け位置或いは角度を調整することで、赤外線の出射方向を調整できるように構成されている。
【００２２】
さらに、ケース１６の側面には、検出回路、及び発光ダイオード１９に電力を供給するための蓄電池を収納する電池ボックス１７が備えられている。そして、図示しない蓄電池より、検出回路、及び発光ダイオード１９に電力が供給される。
【００２３】
次に、受信ホルダ２０は、赤外線を受光するための受光素子としてのフォトダイオード２２と、発光ダイオード１９より出射された赤外線を集光してフォトダイオード２２に導くためのレンズ２１とを備えている。なお、このレンズ２１には、ペダルユニット３の設置位置が変わっても、ペダルユニット３の発光ダイオード１９から出射された赤外線を集光してフォトダイオード２２に導くことができるように、魚眼レンズが使用されている。
【００２４】
ここで、ペダルユニット３内の検出回路の構成を、図２のブロック図を用いて説明する。
図２に示すように、ペダルユニット３内の検出回路は、ペダルの踏み込み量に応じて抵抗値が変化するポテンショメータ３０、三角波又は鉅歯状波を発生する波形生成回路３２、および、ポテンショメータ３０に電源電圧（＋ＶD1）を印加することでポテンショメータ３０から出力されるペダル１４の踏み込み量に応じた検出電圧と波形生成回路３２から入力される電圧とを比較するコンパレータ３４から構成されており、コンパレータ３４は、比較結果に応じた電圧を、発光ダイオード１９と電流制御用の抵抗とからなる直列回路に送る。
【００２５】
つまり、コンパレータ３４は、ポテンショメータ３０からの検出電圧と波形生成回路３２からの入力電圧とに基づき、ペダル１４の踏み込み量に応じたパルス幅変調符号を生成し、発光ダイオード１９は、このパルス幅変調符号に応じて通電、非通電が切り替えられ、通電時に赤外線を出射する。
【００２６】
次に、電子鍵盤楽器１の本体側に内蔵された電子音発生装置の構成を、図３のブロック図を用いて説明する。
まず、受信ホルダ２０が備えるフォトダイオード２２からの受光信号は、パルス／電圧変換回路４２（以下、Ｐ／Ｖ変換回路）に入力される。すると、Ｐ／Ｖ変換回路４２は、その受光信号（つまり、パルス幅変調符号）を、受光信号のパルス幅に応じた電圧信号（以下、ペダル操作信号という）に変換してＡ／Ｄ変換回路４４に入力し、Ａ／Ｄ変換回路４４は、その電圧信号をデジタルデータに変換して、ＣＰＵ４６に入力する。
【００２７】
ＣＰＵ４６は、電子鍵盤楽器１を統括制御するものであり、システムバス６２を介して、ＣＰＵ４６にて実行される各種プログラムを格納するＲＯＭ４８と、各種データを一時的に記憶するＲＡＭ５０とにアクセス可能にされている。
【００２８】
また、このＣＰＵ４６には、システムバス６２を介して、鍵操作を検出するセンサや操作パネルからの信号を入力するためのインタフェース５４（以下、Ｉ／Ｆ）と、電子音信号を発生する音源回路５２（以下、ＴＧ）とが接続され、更に、このＴＧ５２には、Ｄ／Ａ変換回路５６が接続されている。また、Ｄ／Ａ変換回路５６には、増幅回路としてのスピーカ出力回路５８が接続されており、さらにこのスピーカ出力回路５８には、ＴＧ５２からの電子音信号を受けて電子音を出力するためのスピーカ６０が接続されている。
【００２９】
ＣＰＵ４６は、Ａ／Ｄ変換回路４４を介して入力されるペダル操作信号、或いは、Ｉ／Ｆ５４を介して入力される鍵操作信号やパネル操作信号に基づいて、ＴＧ５２を制御する。そして、この信号に基づいた電子音が、スピーカ６０より発せられる。
【００３０】
なお、電子鍵盤楽器１の本体に内蔵される電子音発生装置が備える他の構成は、公知技術に従っているので、ここでは詳細な説明を省略する。
次に、この電子音発生装置において、制御手段としてのＣＰＵ４６が繰り返し実行するメインルーチンの処理を、図４のフローチャートを用いて説明する。
【００３１】
このメインルーチン処理においては、電子鍵盤楽器１の電源がオンされると、まずＳ１００において、各種の初期化処理を行う。
次に、Ｓ１１０へ移行し、Ｉ／Ｆ５４より入力された鍵操作信号やパネル操作信号に基づいた鍵盤操作やパネル操作、或いはＡ／Ｄ変換回路４４より入力されたペダル操作信号に基づいたペダル操作等のイベントがあるか否かを判断する。
【００３２】
上記のようなイベントがあると判断すると、次にＳ１２０へと移行し、入力信号に対応したイベント処理を行う。なお、このイベント処理については後述する。そして、Ｓ１２０でイベント処理を行った後、Ｓ１３０へと移行する。
【００３３】
逆に、Ｓ１１０において、イベントがないと判断すると、次にＳ１３０へと移行する。
Ｓ１３０においては、ＣＰＵ４６が電子鍵盤楽器１を制御する際に通常実行する処理である恒常処理を行い、再度Ｓ１１０へ移行する。
【００３４】
Ｓ１３０において実行される恒常処理としては、具体的には、音程を変化させるビブラート処理や、音量を変化させる音量処理等がある。なお、ビブラート処理や音量処理は公知のものであるので、ここでは詳しい説明を省略する。
【００３５】
次に、Ｓ１２０にて実行されるイベント処理について、図５のフローチャートを用いて説明する。
このイベント処理においては、まず、Ｓ２００において、今回実行すべき処理が、Ｉ／Ｆ５４より入力される鍵操作信号に基づいた鍵盤処理であるか否かを判断する。鍵盤処理であると判断すると、次にＳ２１０へ移行し、鍵操作信号に応じて音を発生させる発音処理、或いは発音した音を消す消音処理を行う。なお、発音或いは消音処理は公知のものであるので、ここでは詳しい説明を省略する。
【００３６】
一方、Ｓ２００において、今回実行すべき処理が鍵盤処理でないと判断すると、次に、Ｓ２２０へ移行し、今回実行すべき処理が、Ｉ／Ｆ５４より入力されたパネル操作信号に基づいたパネル処理であるか否かを判断する。そして、このＳ２２０にて肯定判断されると、次にＳ２３０へ移行し、パネル操作信号に基づいた、音色の設定処理や自動演奏処理等のパネル処理を実行する。なお、音色の設定処理や自動演奏処理等のパネル処理は公知のものであるので、ここでは詳しい説明を省略する。
【００３７】
また、Ｓ２２０において、今回実行すべき処理がパネル処理でないと判断されると、次にＳ２４０へ移行し、Ａ／Ｄ変換回路４４より入力されるペダル操作信号に基づいた、ペダル操作に関するイベントがあるか否かを判断する。ペダル操作に関するイベントがあると判断すると、次にＳ２５０へ移行し、ペダル操作信号に基づいた、音量や音色の調整処理等のペダル処理を行う。
【００３８】
逆に、Ｓ２４０において、ペダル操作に関するイベントがないと判断すると、次にＳ２６０へ移行し、その他の処理を行う。なお、その他の処理とは、ＣＰＵ４６が、情報処理装置を制御する制御装置として通常実行する処理を表す。
【００３９】
以上説明したように、本実施形態の電子鍵盤楽器１は、ペダル１４、ペダル１４の操作量を検出するためのポテンショメータ３０、ポテンショメータ３０による検出結果を赤外線で送信する発光ダイオード１９等からなるペダルユニット３と、発光ダイオード１９からの赤外線を受光して、その受光信号を電子音発生装置に入力するフォトダイオード２２等からなる受信ホルダ２０とが、別々に設けられている。
【００４０】
よって、本電子鍵盤楽器１によれば、検出結果を送受信するためにケーブル等を用いる必要がないので、ケーブル等が目の付く所に露出することがなく、電子鍵盤楽器１全体の外観を損なうことを防止することができる。
【００４１】
また、本実施形態の電子鍵盤楽器１は、組み立て時に、ペダル１４からの検出信号を電子音発生装置に導くためのケーブルを配線する必要がないので、容易に組み立てることができる。
【００４２】
さらに、出荷時等、電子鍵盤楽器１を分解して搬送する際には、ケーブルの断線等の対策をとる必要がなくなるので、分解、搬送作業が簡単になり、作業コストを低減することができる。
【００４３】
また、本実施形態においては、ペダルユニット３が、電子鍵盤楽器１の脚部１２Ｒ、１２Ｌの間において任意の箇所に設置できるように電子鍵盤楽器１本体と別体に構成されており、さらに、赤外線の出射方向を調整できるようにされている。また、受信ホルダ２０には、赤外線を受光しやすいようにレンズ１８として魚眼レンズが備えられている。
【００４４】
よって、本電子鍵盤楽器１によれば、ペダル１４の操作者が使いやすい位置にペダルユニット３を配置することができ、ペダルの操作者にとって使い勝手のいい電子鍵盤楽器を提供することができる。
【００４５】
また、ペダルユニット３と受信ホルダ２０との間で確実に赤外線を投受光できることから、ペダル操作が確実に音源の制御に反映され、ペダル１４の操作者に違和感を与えることのない電子鍵盤楽器を提供できる。
【００４６】
次に、本発明が適用された第２実施形態の電子鍵盤楽器２を、図６を用いて説明する。
本実施形態の電子鍵盤楽器２は、指で操作するための鍵盤部１０と、鍵盤部１０を支持するための脚部１２Ｒ、１２Ｌと、鍵盤部１０の下方に設けられた受信手段としての受信ホルダ２０ａ、２０ｂ、２０ｃと、脚部１２Ｒ、１２Ｌに架け渡すように設けられた底板２４と、この底板２４の下方に固定されたペダルユニット３ａ、３ｂ、３ｃと、底板２４の上面に設けられた送信手段としての送信ホルダ１５ａ、１５ｂ、１５ｃとから構成されている。
【００４７】
ペダルユニット３ａ、３ｂ、３ｃは、それぞれ、足で操作するためのペダル１４ａ、１４ｂ、１４ｃと、足での操作に応じてペダル１４ａ、１４ｂ、１４ｃの一端を変位可能に支持するケース１６ａ、１６ｂ、１６ｃとから構成されている。なお、各ペダル１４ａ、１４ｂ、１４ｃは、通常のピアノに設けられている、いわゆるダンパーペダル、ソフトペダル、ソステヌートペダルに対応している。
【００４８】
各ケース１６ａ、１６ｂ、１６ｃの内部には、ペダル１４ａ、１４ｂ、１４ｃの操作量を検出する検出手段としての検出回路が備えられている。なお、この検出回路は、図２に示した第１実施形態の検出回路と同様に構成されている。
【００４９】
また、各送信ホルダ１５ａ、１５ｂ、１５ｃは、赤外線を出射する発光素子としての発光ダイオード１９ａ、１９ｂ、１９ｃを内蔵しており、さらに、この発光ダイオード１９ａ、１９ｂ、１９ｃからの赤外線を集光してビーム状にするためのレンズ１８ａ、１８ｂ、１８ｃを備えている。
【００５０】
なお、ケース１６ａ、１６ｂ、１６ｃの内部に備えられた検出回路、及び発光ダイオード１９ａ、１９ｂ、１９ｃへの電力は、図示しない蓄電池より供給される。
次に、受信ホルダ２０ａ、２０ｂ、２０ｃは、図３に示した第１実施形態の受信ホルダ２０と同様、発光ダイオード１９ａ、１９ｂ、１９ｃから出射された赤外線を受光するための受光素子としてのフォトダイオード２２ａ、２２ｂ、２２ｃを内蔵しており、さらに、赤外線を集光して各フォトダイオード２２ａ、２２ｂ、２２ｃに導くためのレンズ２１ａ、２１ｂ、２１ｃを備えている。
【００５１】
そして、本実施形態の電子鍵盤楽器２においては、送信ホルダ１５ａ、１５ｂ、１５ｃは、底板２４の上面に固定して設置されており、受信ホルダ２０ａ、２０ｂ、２０ｃは、各送信ホルダ１５ａ、１５ｂ、１５ｃから出射されたビーム状の赤外線を各々受光できるように、電子鍵盤楽器２の本体側で各送信ホルダ１５ａ、１５ｂ、１５ｃと対向する位置に位置決めされている。
【００５２】
そして、各受信ホルダ２０ａ、２０ｂ、２０ｃからの受信信号は、第１実施例同様、Ｐ／Ｖ変換回路４２及びＡ／Ｄ変換回路４４を介してＣＰＵ４６に入力され、ＣＰＵ４６は、第１実施例における図４及び図５のフローチャートに示す処理を、各ペダルユニット３ａ、３ｂ、３ｃからの検出信号（つまり受光信号）毎に実行する。
【００５３】
以上説明したように、本第２実施形態においては、ペダルユニット３ａ、３ｂ、３ｃ、送信ホルダ１５ａ、１５ｂ、１５ｃ、及び受信ホルダ２０ａ、２０ｂ、２０ｃが電子鍵盤楽器２に固定して設置されている。
【００５４】
したがって、一般のピアノに備えられた３つのペダルのようにペダル１４ａ、１４ｂ、１４ｃを操作することができ、よりアコースティックピアノの操作感に近い電子鍵盤楽器を提供することができる。
【００５５】
また、本実施形態によれば、送信ホルダ１５ａ、１５ｂ、１５ｃ及び受信ホルダ２０ａ、２０ｂ、２０ｃを、電子鍵盤楽器の操作者の足の動き等によって赤外線による無線通信が妨げられない位置に固定して設置することで、確実に無線通信が行われるように構成できることから、ペダル操作が確実に音源の制御に反映されることになる。したがって、ペダルの操作者に違和感を与えない電子鍵盤楽器を提供することができる。
【００５６】
以上、本発明の実施形態について説明したが、本発明は、上記実施形態に限定されるものではなく、本発明の技術範囲内にて種々の形態を採ることができる。
例えば、上記各実施形態では、鍵盤部を備えた鍵盤楽器について説明したが、ペダルの操作によって音源が制御される電子楽器であれば、本発明を適用することで同様の効果が得られる。
【００５７】
また、上記各実施形態では、ペダルの踏み込み量をポテンショメータ３０で検出し、この検出結果に基づいて音源を制御するようにしているが、光センサや磁気センサなどを用いてペダルの位置、又はペダルの踏み込み量を検出するような構成としてもよい。
【００５８】
また、スイッチを設けて、ペダルの操作によってスイッチがオン、オフされるようにし、検出したスイッチのオン、オフに基づいて音源が制御されるような構成としてもよい。
また、上記各実施形態では、無線通信に赤外線を利用しているが、電波を用いて無線通信を行う構成としてもよい。
【００５９】
また、上記各実施形態では、蓄電池を用いてペダルユニットに電力を供給するようにしているが、電子鍵盤楽器本体から、アダプタ等を介して電力を供給するような構成としてもよい。
【図面の簡単な説明】
【００６０】
【図１】第１実施形態の電子鍵盤楽器の外観を表す説明図である。
【図２】第１実施形態のペダルユニットに内蔵された検出回路の構成を表すブロック図である。
【図３】第１実施形態の電子音発生装置の構成を表すブロック図である。
【図４】第１実施形態のＣＰＵにて実行されるメインルーチンの処理を表すフローチャートである。
【図５】第１実施形態のＣＰＵにて実行されるイベント処理を表すフローチャートである。
【図６】第２実施形態の電子鍵盤楽器の外観を表す説明図である。
【符号の説明】
【００６１】
１、２…電子鍵盤楽器、３、３ａ、３ｂ、３ｃ…ペダルユニット、１０…鍵盤部、１２Ｒ、１２Ｌ…脚部、１４、１４ａ、１４ｂ、１４ｃ…ペダル、１５、１５ａ、１５ｂ、１５ｃ…送信ホルダ、１６、１６ａ、１６ｂ、１６ｃ…ケース、１７…電池ボックス、１８、１８ａ、１８ｂ、１８ｃ…レンズ、１９、１９ａ、１９ｂ、１９ｃ…発光ダイオード、２０、２０ａ、２０ｂ、２０ｃ…受信ホルダ、２１、２１ａ、２１ｂ、２１ｃ…レンズ、２２、２２ａ、２２ｂ、２２ｃ…フォトダイオード、２４…底板、３０…ポテンショメータ、３２…波形生成回路、３４…コンパレータ、４２…Ｐ／Ｖ変換回路、４４…Ａ／Ｄ変換回路、４６…ＣＰＵ、４８…ＲＯＭ、５０…ＲＡＭ、５２…トーンジェネレータ（ＴＧ）、５４…インタフェース（Ｉ／Ｆ）、５６…Ｄ／Ａ変換回路、５８…スピーカ出力回路、６０…スピーカ、６２…システムバス
【図１】
2006195264.tif 000003
【図２】
2006195264.tif 000004
【図３】
2006195264.tif 000005
【図４】
2006195264.tif 000006
【図５】
2006195264.tif 000007
【図６】
2006195264.tif 000008